(57)【特許請求の範囲】
【請求項１】
上方下水管と、下方下水管に設けられた上方開口状の連通孔との間を連結する垂直下水管の支持構造において、
前記垂直下水管はその内部にらせん案内路が設けられ、かつ、この垂直下水管は鞘管内に設けられており、垂直下水管の終端面乃至側面にリング形状の剛性部材を設けると共に、この剛性部材と接するリング形状の剛性部材を、前記下方下水管の前記連通孔に接合された鞘管の内面に設けて、前記垂直下水管の剛性部材を前記鞘管の剛性部材で受けて支持するようにしたことを特徴とする垂直下水管の支持構造。
【請求項２】
垂直下水管における剛性部材の取付け部をカバーするように、樹脂コーティングを設けてなる請求項１に記載された垂直下水管の支持構造。
【発明の詳細な説明】
【０００１】
【発明の属する技術分野】
本発明は、上方下水管と下方下水管との間を連結する垂直下水管の支持構造に関するものである。
【０００２】
【従来の技術】
上方下水管から下方下水管に下水を導く際、マンホール内や地中に設置した鞘管内に垂直下方に下水を導く垂直下水管（縦管）が設けられることが多い。この場合、垂直下水管内に流入した下水による衝撃を緩和させるため、垂直下水管内にらせん案内路が設けられ、流入する下水が落下する際の衝撃を緩和するようにされている。
【０００３】
この垂直下水管には、縦管自体及び縦管内を流れる下水による過大な荷重が作用し、その荷重は垂直下水管の底面部で支持される構造が多い。けれども、垂直下水管の配置が下方下水管の直上に位置するような場合、鞘管の底部で縦管の終端を支持できないことがある。この場合、垂直下水管と下方下水管とを直接連結する構造が必要となる。しかし、下方下水管に連結孔を設け、この連結孔に垂直下水管を連結する場合、前記したように垂直下水管には過大な荷重が作用するから、下方下水管自体で垂直下水管を支持するようにしただけでは、垂直下水管及び下方下水管の剛性が小さいときには、その荷重に十分に耐え得る構造を確保することはできない。
【０００４】
このため、垂直下水管を吊り下げて支持する構造が必要となる。この垂直下水管を吊り下げて支持する構造としては、例えば、図１２に示すように、マンホール３２の上壁で垂直下水管３０の上端を吊り下げると共に、垂直下水管３０の終端乃至側面部をマンホール３２の中間スラブ３３で支持するような構造が考えられる。３１は垂直下水管３０内に設けられているらせん翼である。
【０００５】
【発明が解決しようとする課題】
しかしながら、垂直下水管３０をマンホール３２のスラブで支持する構造において、中間スラブ３３の開放孔３３ａに垂直下水管３０の終端３０ａを挿設し、その挿設部分にコンクリート３４を打設するだけでは、前記したように過大な荷重が作用する垂直下水管３０を支持するには不十分である。
【０００６】
さらに、上記したコンクリートの打設に加えて、垂直下水管３０をマンホール３２のスラブとの間に固定部材を使用して固定する構成も考えられる。しかし、この場合、垂直下水管３０自体の剛性が十分でないときには、固定状態が不十分となる。
【０００７】
そこで、本発明は、垂直下水管を下方下水管に直接連結する場合においても、剛性の小さい垂直下水管を十分にかつ安定した状態で下方下水管に支持させることが可能な垂直下水管の支持構造を提供することを目的とした。
【０００８】
【課題を解決するための手段】
上記した目的を達成するため、本発明の垂直下水管の支持構造は、上方下水管と、
下方下水管に設けられた上方開口状の連通孔との間を連結する垂直下水管の支持構造において、前記垂直下水管はその内部にらせん案内路が設けられ、かつ、この垂直下水管は鞘管内に設けられており、垂直下水管の終端面乃至側面にリング形状の剛性部材を設けると共に、この剛性部材と接するリング形状の剛性部材を、前記下方下水管の前記連通孔に接合された鞘管の内面に設けて、前記垂直下水管の剛性部材を前記鞘管の剛性部材で受けて支持するようにしたことを特徴とする。
【０００９】
上記した本発明の垂直下水管の支持構造においては、垂直下水管を取り換える場合の作業も極めて容易である。
【００１０】
垂直下水管に設けられる剛性部材としては、鋼鉄等の剛性を有する部材を使用することができる。また、この剛性部材が鋼鉄材等の腐食性のものである場合には、少なくとも、この剛性部材の取付部分であって、下方下水管の剛性部材と接触しない部分を樹脂コーティングで被覆して、剛性部材の腐食を防止できるようにしておくことが好ましい。さらに、この剛性部材の残余の部分には、下方下水管の剛性部材で支持するのに支障のない範囲で、腐食防止剤を塗布しておいてもよい。
【００１１】
垂直下水管の形成材は、通常使用されてきたＦＲＰ（繊維強化プラスチック）やＦＲＰＭ（繊維強化プラスチックモルタル）等の剛性が小さい部材をそのまま使用することができる。
【００１２】
垂直下水管への剛性部材の固定構成としては、垂直下水管の終端面あるいは中部位置にリング状の剛性部材を取り付けた構成等とすることができる。この剛性部材がリング形状である場合には、単純な平板状のものであるほか、垂直下水管の外面又は内面で係止させることができる突部を有するように、その断面形状がＴ字状であるものとすることもできる。また、垂直下水管の中部位置に剛性部材を設ける構成は、例えば、垂直下水管の終端近傍部を分離し、その分離した垂直下水管端に剛性部材を固定し、剛性部材に分離片を延設管として固定したものとすることができる。
【００１３】
また、剛性部材のリング形状としては連続的なものであるほか、リング形状の内径部あるいは外径部が切欠き状となっているものが含まれる。また、このリング形状における内径部に切欠きを設けたものについては、切欠き内に垂直下水管の終端面あるいは分離端に設けた切欠き部を嵌合させた構成とすることができる。リング形状でない場合であっても、リング形状に配列される複数の破断片からなるものでもよい。このような垂直下水管の剛性部材についてのリング形状は、下方下水管に設けられる剛性部材についても同様の形状のものとすることができる。
【００１４】
下方下水管の剛性部としては、下方下水管が、例えば、コンクリートスラブや、コンクリート壁の外周に鉄鋼（鉄筋）、コンクリート等で補強したもの、あるいはこれらの組合せであってもよく、また下方下水管がこのような剛性部材で形成されていない場合には、例えば、下方下水管の壁面上に別に設けられたコンクリート基礎のような剛性を有する部材を設けたものであってもよい。
【００１５】
本発明の垂直下水管の支持構造は、鞘管内に設けられる垂直下水管であり、垂直下水管の終端面乃至側面に剛性部材を設けると共に、この縦管の剛性部材に対応する剛性部材を下方下水管の壁部に接合された鞘管内に設けて、前記垂直下水管の剛性部材を前記鞘管の剛性部材で支持するようにしたことを特徴とする。例えば、下方下水管の外周面上が鋼鉄等で強化されている場合に、この下方下水管に溶接等の手段で鋼鉄製の鞘管を固定し、この鞘管の内部に剛性部材を設け、この鞘管の剛性部材に垂直下水管の剛性部材を支持させる構造が挙げられる。
【００１６】
この鞘管の剛性部材についても、前記した垂直下水管の剛性部材と同じものを使用できる。また、鞘管が鋼鉄製である場合には、鞘管に鋼鉄製の剛性部材を溶接することによって、鞘管に剛性部材を取り付けることができる。
【００１７】
このような垂直下水管の支持構造においても、前記同様に、剛性の小さい垂直下水管を下方下水管に固定された鞘管を介して安定状態で支持できる作用が発揮される。
【００１８】
本発明の垂直下水管の支持構造においても、従来の場合と同様に、垂直下水管端部の外周部と下方下水管の連結孔の内面との間にモルタルを充填して固定することによって、垂直下水管の支持構造における支持強度を高めることができる。
【００１９】
【発明の実施の形態】
次に、本発明に係る実施の形態の垂直下水管の支持構成を説明する。図１に示す垂直下水管の支持構造１は、鋼鉄製の鞘管２内に設置された垂直下水管３が、鞘管２内で支持されることによってなる。即ち、垂直下水管３の終端３ａ近傍の側面に設けられたリング形状の剛性部材７が鞘管２の内面に突設状に溶接された剛性部材１２に支持された構造である。
【００２０】
垂直下水管３はＦＲＰＭからなる管状体であり、その内部にはらせん翼４、５が設けられている。らせん翼４、５によってらせん案内路６が形成されている。らせん翼４は支軸４ａによって、垂直下水管３の始端３ｃに吊り下げられた状態で支持され、らせん翼４、５はその周端部が縦管３の内壁面に固定されている。垂直下水管３の上部案内路３ｂには上流管８が設けられ、下水を垂直下水管３内に流入させるようになっている。
【００２１】
図２に示すように、垂直下水管３の終端３ａの面は開放されていて、終端３ａ近傍の側面には、垂直下水管３の管軸に直交する向きに鋼鉄製の剛性部材７が設けられている。即ち、剛性部材７は、図３に示すように、全周部が連続的な平板形状のリング形状のものであり、垂直下水管３の分離端３ｂに外方へ突設された状態で固定されている。なお、３’は垂直下水管３の延設管である。また、図４に示すように、リング形状の外径部に切欠き７Ａａが設けられた剛性部材７Ａや、図５に示すように、リング形状の内径部に切欠き７Ｂａが設けられた剛性部材７Ｂを設けることもできる。この場合、垂直下水管３Ａの分離端に切欠きを設けることにより突出端３Ａｂを形成し、突出端３Ａｂを切欠き７Ｂａに嵌合させた構成とすることもできる。３Ａ’は垂直下水管３Ａの延設管であり、３Ａａは垂直下水管３Ａの終端である。
【００２２】
剛性部材７について耐蝕性を高めるために、剛性部材７から垂直下水管３の側面に渡ってＦＲＰによるライニング９が施されている。鞘管２の内面にも同様の鋼鉄製でリング形状の剛性部材１２が設けられ、剛性部材１２に垂直下水管３の剛性部材７が載設された状態で、垂直下水管３は支持されている。
【００２３】
下方下水管１０は内層のコンクリート層１０ａと外層をなす鋼鉄材の補強層１０ｂとの積層材によって形成されている。下方下水管１０の側壁には垂直下水管３の直下位置に連通孔１１が設けられ、連結孔１１内に鞘管２の端部が内接した状態で挿設されている。
【００２４】
また、鞘管２と下方下水管１０との間は、鞘管２の外側と補強層１０ｂとが溶接部２ａを設けて固定されている。従って、垂直下水管縦管３は下方下水管１０に固定された鞘管２によって安定した状態で支持される。従って、垂直下水管３がその終端３ａの側から連結孔１１内に挿入されると共に、剛性部材７を剛性部材１２で受け持つ状態で、鞘管２に垂直下水管３を支持させることができる。
【００２５】
このような垂直下水管の支持構造１において、垂直下水管３は剛性部材７と剛性部材１２とにより支持されるから、縦管２の剛性が小さくても、垂直下水管３自体及び流入してきた下水による荷重を十分に受け持つことができるように安定した支持状態が得られる。よって、上流管８から流入してきた下水は、垂直下水管３内に流入してらせん案内路６に沿って流動して、垂直下水管３の終端３ａの開放部から下方下水管１０内に到る。
【００２６】
上記したような下方下水管１０に対する垂直下水管３の支持構造は、図６に示すような、ＦＲＰＭ層１０Ａａと鋼鉄材の補強層１０Ａｂとの間にエアーモルタル層１０Ａｃを積層した剛性管からなる下方下水管１０Ａに対する支持構造の場合も全く同様である。即ち、補強層１０Ａｂとの間に溶接部２ａを設けて、鞘管２を下方下水管１０Ａに固定し、鞘管２内の剛性部材１２で剛性部材７を受け持って、垂直下水管３を支持する構造である。
【００２７】
また、図７に示すような剛性が小さいコンクリート壁のみからなる下方下水管１０Ｂに対しては、連結孔１１の孔縁に沿って剛性を有するコンクリート基礎１０Ｂａを設け、コンクリート基礎１０Ｂａで剛性部材７ａを受け持って、垂直下水管３を下方下水管１０Ｂで支持する構造とすることもできる。
【００２８】
次に、縦管の支持構造の一例を図８に示した。この垂直下水管の支持構造１００は、垂直下水管３をマンホール１５の中間スラブ１７で支持する構造である。なお、１６は他の中間スラブである。即ち、図９に示すように、垂直下水管３の剛性部材７を中間スラブ１７の連結孔１８の端縁で受け持って、垂直下水管３を支持する構造である。この場合、中間スラブ１７のコンクリート壁が剛性部となっている。従って、垂直下水管３は、その剛性部材７を介して中間スラブ１７のコンクリート壁に安定した状態で支持される。
【００２９】
中間スラブ１７は、マンホール１５の底部位置に有する貯留桝１９を仕切るものであり、垂直下水管３内に流入した下水は、終端３ａから直接的に貯留桝１９に到る。貯留桝１９を囲むマンホール１５のスラブには、下方下水管１０が連結されており、流入してきた下水は、貯留桝１９からオーバーフローして下方下水管１０に及ぶ。
【００３０】
次に、垂直下水管の支持構造１０１を図１０に示した。垂直下水管の支持構造１０１は、垂直下水管３がマンホール２０内に設置された連結垂直下水管２３で支持する構造である。なお、２１及び２２はマンホール２０の中間スラブである。
【００３１】
連結垂直下水管２３は垂直下水管本体２４の上部に設けられており、垂直下水管本体２４はマンホール２０の底部２０ａで支持されている。なお、２５は垂直下水管本体２４のらせん翼であり、らせん案内路を形成している。２５ａはらせん翼２５の支軸である。また、垂直下水管本体２４の下部には下方下水管２６が連結されている。
【００３２】
図１１に示すように、剛性部材７を連結垂直下水管２３に設けられている剛性部材１２で受け持って、垂直下水管３が支持される構造である。また、剛性部材１２は、連結垂直下水管２３の側部に設けられている連結孔２３ｂの端縁に沿って設けられている。２７は縦管２をマンホール２０の側面のスラブに固定するための吊り下げ部材である。
【００３３】
このように、垂直下水管３は剛性部材７を介して剛性部材１２で連結垂直下水管２３上に支持されているから、垂直下水管３の剛性が小さくても、連結垂直下水管２３に安定した状態で支持される。しかも、垂直下水管３内に流入した下水は、終端３ａから連結垂直下水管２３に流入し、さらに、垂直下水管本体２４内を経て下方下水管２６に至る。
【００３４】
【発明の効果】
上述したように構成される本発明の垂直下水管の支持構成によれば、垂直下水管の直下位置に下方下水管が配設される場合であっても、垂直下水管に設けたリング形状の剛性部材を鞘管または下方下水管の内面に設けたリング形状の剛性部材で受けて、垂直下水管を支持するようにしたので、垂直下水管自体の剛性が小さくても、マンホール内に安定した状態で支持させることができる。このように、垂直下水管自体の剛性は小さくてもよいから、垂直下水管の重量が低減されるから、支持部の荷重負担を軽減できる。
【図面の簡単な説明】
【図１】本発明に係る実施の形態の垂直下水管の支持構造の縦断正面図である。
【図２】本発明に係る実施の形態の垂直下水管の支持構造の支持部の構成を説明する部分縦断面図である。
【図３】本発明に係る実施の形態の垂直下水管の支持構造における垂直下水管に対する剛性部材の形状及び固定構成を説明する斜視図である。
【図４】本発明に係る実施の形態の垂直下水管の支持構造における垂直下水管に対する剛性部材の形状及び固定構成を説明する斜視図である。
【図５】本発明に係る実施の形態の垂直下水管の支持構造における垂直下水管に対する剛性部材の形状及び固定構成を説明する分解斜視図である。
【図６】本発明に係る他の実施の形態の垂直下水管の支持構造の支持部の構成を説明する部分縦断正面図である。
【図７】本発明に係る他の実施の形態の垂直下水管の支持構造の支持部の構成を説明する部分縦断正面図である。
【図８】垂直下水管の支持構造の一例の縦断正面図である。
【図９】垂直下水管の支持構造の支持部の構成を説明する部分縦断正面図である。
【図１０】垂直下水管の支持構造の縦断正面図である。
【図１１】垂直下水管の支持構造の支持部の構成を説明する部分縦断正面図である。
【図１２】従来例としての垂直下水管の支持構造を説明する縦断正面図である。
【符号の説明】
１、垂直下水管の支持構造
２ 鞘管
３、３Ａ 垂直下水管
３ａ、３Ａａ 終端
３’ 分離端
４、５ らせん翼
７、７Ａ、７Ｂ 剛性部材
７Ａａ、７Ｂａ 切欠き
８ 上方下水管
９ 樹脂コーティング
１０、１０Ａ、１０Ｂ 下方下水管
１０Ａａ ＦＲＰＭ層
１０Ａｂ 補強層
１０Ｂａ コンクリート管
１０Ｂｂ 補強層
１１ 連結孔
１２ 剛性部材
１５ マンホール
１７ 中間スラブ
１８ 連結孔
１９ 貯留桝
２０ マンホール
２３ 連結垂直下水管
２３ａ 管壁
２４ 垂直下水管本体
【図１】
0004551023.tif 000002
【図２】
0004551023.tif 000003
【図３】
0004551023.tif 000004
【図４】
0004551023.tif 000005
【図５】
0004551023.tif 000006
【図６】
0004551023.tif 000007
【図７】
0004551023.tif 000008
【図８】
0004551023.tif 000009
【図９】
0004551023.tif 000010
【図１０】
0004551023.tif 000011
【図１１】
0004551023.tif 000012
【図１２】
0004551023.tif 000013